(57)【要約】【課題】主に各種電子機器の遠隔操作に用いられるリモコン送信機に関し、全体を大きくすることなく、多様で確実な操作が可能なものを提供することを目的とする。【解決手段】ケース２１の挿通孔２１Ｂ下方の押圧部２３Ｂを揺動可能に形成すると共に、この押圧部２３Ｂ下方に一対のスイッチ接点を設けることによって、揺動可能な一つの押圧部２３Ｂによって一対のスイッチ接点の電気的接離が行え、所定の面積の中に多くのスイッチ接点を設けることができるため、全体を大きくすることなく、多様で確実な操作が可能なリモコン送信機を得ることができる。【選択図】図１
2012169882.tif 000002
【特許請求の範囲】
【請求項１】
略箱状で上面に複数の開口孔と挿通孔が形成されたケースと、上記開口孔から上下動可能に突出する複数の操作部、及び上記挿通孔下方に上下動可能に形成された複数の押圧部が設けられた操作体と、上記操作部と押圧部下方に形成された複数のスイッチ接点と、このスイッチ接点の電気的接離を検出すると共に、送信手段からリモコン信号を送信する制御手段からなり、上記押圧部を揺動可能に形成すると共に、この押圧部下方に一対のスイッチ接点を設けたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の多機能化が進むなか、これらを遠隔操作するリモコン送信機においても、多様で確実な操作を行えるものが求められている。
【０００３】
このような従来のリモコン送信機について、図５〜図７を用いて説明する。
【０００４】
なお、これらの図面は構成を判り易くするために、部分的に寸法を拡大して表している。
【０００５】
図５は従来のリモコン送信機の断面図、図６は同平面図であり、同図において、１は略箱状で絶縁樹脂製のケースで、この上面には絶縁樹脂製のパネル２が貼付されると共に、ケース１上面とパネル２には複数の開口孔１Ａと挿通孔１Ｂ等が設けられている。
【０００６】
そして、３はゴム等の操作体で、下方に略ドーム状の薄肉部が形成され、下面に可動接点４Ａが形成された複数の操作部３Ａが設けられると共に、これらの操作部３Ａがケース１上面の開口孔１Ａから上下動可能に突出している。
【０００７】
さらに、ケース１の挿通孔１Ｂ下方には、下方に略ドーム状の薄肉部が形成され、下面に可動接点４Ｂが形成された複数の押圧部３Ｂが設けられている。
【０００８】
また、５は上下面に複数の配線パターン（図示せず）が形成された配線基板で、この上面には操作部３Ａや押圧部３Ｂ下面の可動接点４Ａや４Ｂと、所定の間隙を空けて対向する複数の固定接点６Ａや６Ｂが設けられて、操作部３Ａや押圧部３Ｂ下方に複数のスイッチ接点が形成されている。
【０００９】
そして、７は液晶表示素子等の表示手段、８は発光ダイオード等のリモコン信号を送信する送信手段、９はマイコン等の制御手段で、これらが配線基板５の上下面に実装されると共に、複数の固定接点６Ａや６Ｂ、表示手段７や送信手段８が、配線パターンを介して制御手段９に接続されている。
【００１０】
さらに、ケース１下面を絶縁樹脂製のカバー１０が覆うと共に、カバー１０下面に収納された電池（図示せず）を絶縁樹脂製の蓋体１１が覆って、リモコン送信機が構成されている。
【００１１】
以上の構成において、リモコン送信機を操作する電子機器、例えばテレビやエアコン等に向けて、図７（ａ）の断面図に示すように、指で所定の操作部３Ａの上面を押圧操作すると、略ドーム状の薄肉部が弾性変形して操作部３Ａが下方へ移動し、この下面の可動接点４Ａが複数の固定接点６Ａに接触して、可動接点４Ａを介して複数の固定接点６Ａの電気的接離が行われる。
【００１２】
そして、この固定接点６Ａの電気的接離を制御手段９が検出して、この操作に応じた赤外線のリモコン信号を送信手段８から電子機器へ送信し、これによって例えば、テレビやエアコン等の電源の入／切や、音量や温度の増減等の切換が遠隔操作によって行われる。
【００１３】
また、図７（ｂ）に示すように、細い棒状のピン等をケース１上面の挿通孔１Ｂ内に挿入し、この下方の所定の押圧部３Ｂ上面を押圧操作すると、略ドーム状の薄肉部が弾性変形して押圧部３Ｂが下方へ移動し、この下面の可動接点４Ｂが複数の固定接点６Ｂに接触して、可動接点４Ｂを介して複数の固定接点６Ｂの電気的接離が行われる。
【００１４】
そして、この固定接点６Ｂの電気的接離を制御手段９が検出して、例えば表示手段７に表示された時刻の設定や、あるいは設定されていた温度のリセット等が行われる。
【００１５】
つまり、ケース１上面から突出した複数の操作部３Ａの押圧操作によって、電源の入／切や、音量や温度の切換といった、日常頻繁に行われる電子機器の遠隔操作を行うと共に、時刻設定や温度等のリセットといった、一旦設定した後は使用する頻度の少ない押圧部３Ｂは、ケース１から突出させずに挿通孔１Ｂ下方に設けることで、これらの押圧部３Ｂを誤って押圧操作することのないように構成されているものであった。
【００１６】
なお、この出願の発明に関連する先行技術文献情報としては、例えば、特許文献１が知られている。
【先行技術文献】
【特許文献】
【００１７】
【特許文献１】特開２００７−５３５１７号公報
【発明の概要】
【発明が解決しようとする課題】
【００１８】
しかしながら、上記従来のリモコン送信機においては、上下動可能な一つの押圧部３Ｂの下方には一つのスイッチ接点しか形成されておらず、電子機器の多機能化に伴って、多くのスイッチ接点を設けようとした場合、一つ一つの押圧部３Ｂを上下動可能に所定間隔で並設して形成する必要があるため、複数の押圧部３Ｂの占める面積が大きくなり、リモコン送信機全体が大きなものになってしまうという課題があった。
【００１９】
本発明は、このような従来の課題を解決するものであり、全体を大きくすることなく、多様で確実な操作が可能なリモコン送信機を提供することを目的とする。
【課題を解決するための手段】
【００２０】
上記目的を達成するために本発明は、ケースの挿通孔下方の押圧部を揺動可能に形成すると共に、この押圧部下方に一対のスイッチ接点を設けてリモコン送信機を構成したものであり、揺動可能な一つの押圧部によって一対のスイッチ接点の電気的接離を行うことで、所定の面積の中に多くのスイッチ接点を設けることができるため、全体を大きくすることなく、多様で確実な操作が可能なリモコン送信機を得ることができるという作用を有するものである。
【発明の効果】
【００２１】
以上のように本発明によれば、全体を大きくすることなく、多様で確実な操作が可能なリモコン送信機を実現できるという有利な効果が得られる。
【図面の簡単な説明】
【００２２】
【図１】本発明の一実施の形態によるリモコン送信機の断面図
【図２】同平面図
【図３】同断面図
【図４】同断面図
【図５】従来のリモコン送信機の断面図
【図６】同平面図
【図７】同断面図
【発明を実施するための形態】
【００２３】
以下、本発明の実施の形態について、図１〜図４を用いて説明する。
【００２４】
なお、これらの図面は構成を判り易くするために、部分的に寸法を拡大して表している。
【００２５】
また、背景技術の項で説明した構成と同一構成の部分には同一符号を付して、詳細な説明を簡略化する。
【００２６】
（実施の形態）
図１は本発明の一実施の形態によるリモコン送信機の断面図、図２は同平面図であり、同図において、２１は略箱状でポリスチレンやＡＢＳ等の絶縁樹脂製のケースで、この上面にはポリエチレンテレフタレート等のフィルム状のパネル２２が貼付されると共に、ケース２１上面とパネル２２には複数の開口孔２１Ａと挿通孔２１Ｂ等が設けられている。
【００２７】
そして、２３はゴムやエラストマー等の操作体で、この操作体２３には下方に略ドーム状の薄肉部が形成され、下面にカーボンや銀等の可動接点４Ａが形成された複数の操作部２３Ａが設けられると共に、これらの操作部２３Ａがケース２１上面の開口孔２１Ａから上下動可能に突出している。
【００２８】
さらに、ケース２１の挿通孔２１Ｂ下方には、下方に略ドーム状の薄肉部が形成され、下面の左右端にカーボンや銀等の一対の可動接点２４Ａと２４Ｂが形成された、複数の押圧部２３Ｂが設けられている。
【００２９】
また、５は紙フェノールやガラス入りエポキシ等の配線基板で、上下面には銅箔等によって複数の配線パターン（図示せず）が形成されると共に、この上面には銅やカーボン等によって操作部２３Ａ下面の可動接点４Ａと、所定の間隙を空けて対向する複数の固定接点６Ａが設けられて、複数の操作部２３Ａ下方に複数のスイッチ接点が形成されている。
【００３０】
さらに、配線基板５上面には銅やカーボン等によって、押圧部２３Ｂ下面の可動接点２４Ａや２４Ｂと所定の間隙を空けて対向する、複数の固定接点２６Ａや２６Ｂが設けられて、複数の押圧部２３Ｂ下方の左右に一対のスイッチ接点が形成されている。
【００３１】
そして、７は液晶表示素子等の表示手段、８は発光ダイオード等のリモコン信号を送信する送信手段、９はマイコン等の制御手段で、これらが配線基板５の上下面に実装されると共に、複数の固定接点６Ａや２６Ａ、２６Ｂ、表示手段７や送信手段８が、配線パターンを介して制御手段９に接続されている。
【００３２】
また、ケース２１下面をポリスチレンやＡＢＳ等の絶縁樹脂製のカバー１０が覆うと共に、カバー１０下面に収納された電池（図示せず）を絶縁樹脂製の蓋体１１が覆って、リモコン送信機が構成されている。
【００３３】
以上の構成において、リモコン送信機を操作する電子機器、例えばテレビやエアコン等に向けて、図３の断面図に示すように、指で所定の操作部２３Ａの上面を押圧操作すると、略ドーム状の薄肉部が弾性変形して操作部２３Ａが下方へ移動し、この下面の可動接点４Ａが複数の固定接点６Ａに接触して、可動接点４Ａを介して複数の固定接点６Ａの電気的接離が行われる。
【００３４】
そして、この固定接点６Ａの電気的接離を制御手段９が検出して、この操作に応じた赤外線のリモコン信号を送信手段８から電子機器へ送信し、これによって例えば、テレビやエアコン等の電源の入／切や、音量や温度の増減等の切換が遠隔操作によって行われる。
【００３５】
また、図４（ａ）の断面図に示すように、細い棒状のピン等をケース２１上面の挿通孔２１Ｂ内に挿入し、この下方の所定の押圧部２３Ｂの上面右端を押圧操作すると、略ドーム状の薄肉部が弾性変形して押圧部２３Ｂが下方右側に揺動し、この下面右端の可動接点２４Ｂが複数の固定接点２６Ｂに接触して、可動接点２４Ｂを介して複数の固定接点２６Ｂの電気的接離が行われる。
【００３６】
あるいは、図４（ｂ）に示すように、この左隣の挿通孔２１Ｂ内にピン等を挿入し、この下方の所定の押圧部２３Ｂの上面左端を押圧操作すると、押圧部２３Ｂが下方左側に揺動し、この下面左端の可動接点２４Ａが複数の固定接点２６Ａに接触して、可動接点２４Ａを介して複数の固定接点２６Ａの電気的接離が行われる。
【００３７】
そして、この固定接点２６Ａや２６Ｂの電気的接離を制御手段９が検出して、例えば表示手段７に表示された時刻の設定や、あるいは設定されていた温度のリセット等が行われる。
【００３８】
つまり、ケース２１上面から突出した複数の操作部２３Ａの押圧操作によって、電源の入／切や、音量や温度の切換といった、日常頻繁に行われる電子機器の遠隔操作を行うと共に、時刻設定や温度等のリセットといった、一旦設定した後は使用する頻度の少ない押圧部２３Ｂは、ケース２１から突出させずに挿通孔２１Ｂ下方に設けることで、これらの押圧部２３Ｂを誤って押圧操作することのないように構成されている。
【００３９】
そして、この時、上記のように押圧部２３Ｂが揺動可能に形成されると共に、押圧部２３Ｂ下方には下面左右端の可動接点２４Ａと２４Ｂ、及びこれらと対向する固定接点２６Ａと２６Ｂによって一対のスイッチ接点が設けられ、一つの押圧部２３Ｂで二つの固定接点２６Ａと２６Ｂの電気的接離が行えるようになっているため、所定の面積の中に多くのスイッチ接点を形成することが可能なようになっている。
【００４０】
すなわち、揺動可能な押圧部２３Ｂの下方に一対のスイッチ接点を形成し、一つの押圧部２３Ｂで二つのスイッチ接点の電気的接離を行うことによって、電子機器の多機能化に伴って、多くのスイッチ接点を設けようとした場合でも、一つのスイッチ接点が形成された多くの押圧部を所定間隔で並設する場合に比べ、所定の面積内に多くのスイッチ接点を設けることができるため、リモコン送信機全体を大きくすることなく、多様で確実な操作が行えるように構成されている。
【００４１】
なお、以上の説明では、押圧部２３Ｂ下面左右端の可動接点２４Ａと２４Ｂに、固定接点２６Ａと２６Ｂを対向させて一対のスイッチ接点を形成した構成について説明したが、配線基板５上面の固定接点上に略ドーム状で導電金属薄板製の可動接点を載置したものや、あるいは配線基板５上面に単独のプッシュスイッチ等を実装したもの等、様々なスイッチ接点を用いた構成としても、本発明の実施は可能である。
【００４２】
このように本実施の形態によれば、ケース２１の挿通孔２１Ｂ下方の押圧部２３Ｂを揺動可能に形成すると共に、この押圧部２３Ｂ下方に一対のスイッチ接点を設けることによって、揺動可能な一つの押圧部２３Ｂによって一対のスイッチ接点の電気的接離が行え、所定の面積の中に多くのスイッチ接点を設けることができるため、全体を大きくすることなく、多様で確実な操作が可能なリモコン送信機を得ることができるものである。
【産業上の利用可能性】
【００４３】
本発明によるリモコン送信機は、全体を大きくすることなく、多様で確実な操作が可能なものを得ることができるという有利な効果を有し、主に各種電子機器の操作用として有用である。
【符号の説明】
【００４４】
４Ａ  可動接点
５  配線基板
６Ａ  固定接点
７  表示手段
８  送信手段
９  制御手段
１０  カバー
１１  蓋体
２１  ケース
２１Ａ  開口孔
２１Ｂ  挿通孔
２２  パネル
２３  操作体
２３Ａ  操作部
２３Ｂ  押圧部
２４Ａ、２４Ｂ  可動接点
２６Ａ、２６Ｂ  固定接点
【図１】
2012169882.tif 000003
【図２】
2012169882.tif 000004
【図３】
2012169882.tif 000005
【図４】
2012169882.tif 000006
【図５】
2012169882.tif 000007
【図６】
2012169882.tif 000008
【図７】
2012169882.tif 000009